(57)【要約】【課題】加入者側装置から局側装置へ確実にデータを伝達しながら、局側装置が受信する信号のレベルを一定値に近づけることが可能な光通信システムを提供すること。【解決手段】光通信システム８００は、局側装置８１０と複数の加入者側装置８２０とを含む。加入者側装置は、局側装置に接続された光ファイバを経由して当該局側装置と信号を送受信する。加入者側装置は、局側装置から受信した信号の強度を表す受信レベルを取得する（８２１）。加入者側装置は、取得された受信レベルが予め設定された基準範囲内にある場合に予め設定された基準送信レベルが表す強度の信号を局側装置へ送信する（８２２）。一方、加入者側装置は、取得された受信レベルが上記基準範囲外にある場合に当該取得された受信レベルが小さくなるほど大きくなる送信レベルが表す強度の信号を局側装置へ送信する（８２２）。【選択図】図８
2010161454.tif 000002
【特許請求の範囲】
【請求項１】
局側装置と、当該局側装置に接続された光ファイバを経由して当該局側装置と信号を送受信する複数の加入者側装置と、を含むとともに、
前記加入者側装置は、
前記局側装置から受信した信号の強度を表す受信レベルを取得する受信レベル取得手段と、
前記取得された受信レベルが予め設定された基準範囲内にある場合に予め設定された基準送信レベルが表す強度の信号を前記局側装置へ送信し、一方、当該取得された受信レベルが当該基準範囲外にある場合に当該取得された受信レベルが小さくなるほど大きくなる送信レベルが表す強度の信号を前記局側装置へ送信する送信手段と、
を備える光通信システム。
【請求項２】
請求項１に記載の光通信システムであって、
前記送信手段は、前記送信レベルを、前記取得された受信レベルの変化に対して連続して変化する値に設定するように構成された光通信システム。
【請求項３】
請求項１又は請求項２に記載の光通信システムであって、
前記送信手段は、前記取得された受信レベルが前記基準範囲の上限値よりも大きい場合、当該上限値と当該取得された受信レベルとの差に比例する補正量を前記基準送信レベルに加えた値に前記送信レベルを設定するように構成された光通信システム。
【請求項４】
請求項１乃至請求項３のいずれか一項に記載の光通信システムであって、
前記送信手段は、前記取得された受信レベルが前記基準範囲の下限値よりも小さい場合、当該下限値と当該取得された受信レベルとの差に比例する補正量を前記基準送信レベルに加えた値に前記送信レベルを設定するように構成された光通信システム。
【請求項５】
請求項４に記載の光通信システムであって、
前記送信手段は、前記取得された受信レベルが前記基準範囲の上限値よりも大きい場合に、当該取得された受信レベルから当該上限値を減じた値に予め設定された比例係数を乗じた値を前記基準送信レベルに加えた値に前記送信レベルを設定し、一方、当該取得された受信レベルが当該基準範囲の下限値よりも小さい場合に、当該取得された受信レベルから当該下限値を減じた値に当該比例係数を乗じた値を当該基準送信レベルに加えた値に前記送信レベルを設定するように構成された光通信システム。
【請求項６】
請求項１乃至請求項５のいずれか一項に記載の光通信システムであって、
前記複数の加入者側装置のそれぞれは、他の加入者側装置と異なる信号送信期間にて信号を前記局側装置へ送信するように構成された光通信システム。
【請求項７】
請求項１乃至請求項６のいずれか一項に記載の光通信システムであって、
前記送信手段は、前記局側装置との間の通信を確立するために当該局側装置から受信した信号の強度を表す受信レベルに基づいて、前記送信レベルを設定するように構成された光通信システム。
【請求項８】
局側装置に接続された光ファイバを経由して当該局側装置と信号を送受信するように構成されるとともに、
前記局側装置から受信した信号の強度を表す受信レベルを取得する受信レベル取得手段と、
前記取得された受信レベルが予め設定された基準範囲内にある場合に予め設定された基準送信レベルが表す強度の信号を前記局側装置へ送信し、一方、当該取得された受信レベルが当該基準範囲外にある場合に当該取得された受信レベルが小さくなるほど大きくなる送信レベルが表す強度の信号を前記局側装置へ送信する送信手段と、
を備える加入者側装置。
【請求項９】
請求項８に記載の加入者側装置であって、
前記送信手段は、前記送信レベルを、前記取得された受信レベルの変化に対して連続して変化する値に設定するように構成された加入者側装置。
【請求項１０】
請求項８又は請求項９に記載の加入者側装置であって、
前記送信手段は、前記取得された受信レベルが前記基準範囲の上限値よりも大きい場合に、当該取得された受信レベルから当該上限値を減じた値に予め設定された比例係数を乗じた値を前記基準送信レベルに加えた値に前記送信レベルを設定し、一方、当該取得された受信レベルが当該基準範囲の下限値よりも小さい場合に、当該下限値から当該取得された受信レベルを減じた値に当該比例係数を乗じた値を当該基準送信レベルに加えた値に前記送信レベルを設定するように構成された加入者側装置。
【請求項１１】
局側装置と、当該局側装置に接続された光ファイバを経由して当該局側装置と信号を送受信する複数の加入者側装置と、を含む光通信システムに適用され、
前記加入者側装置が、前記局側装置から受信した信号の強度を表す受信レベルを取得する受信レベル取得工程と、
前記加入者側装置が、前記取得された受信レベルが予め設定された基準範囲内にある場合に予め設定された基準送信レベルが表す強度の信号を前記局側装置へ送信し、一方、当該取得された受信レベルが当該基準範囲外にある場合に当該取得された受信レベルが小さくなるほど大きくなる送信レベルが表す強度の信号を前記局側装置へ送信する送信工程と、
を含む光通信方法。
【請求項１２】
請求項１１に記載の光通信方法であって、
前記送信工程は、前記送信レベルを、前記取得された受信レベルの変化に対して連続して変化する値に設定するように構成された光通信方法。
【請求項１３】
請求項１１又は請求項１２に記載の光通信方法であって、
前記送信工程は、前記取得された受信レベルが前記基準範囲の上限値よりも大きい場合に、当該取得された受信レベルから当該上限値を減じた値に予め設定された比例係数を乗じた値を前記基準送信レベルに加えた値に前記送信レベルを設定し、一方、当該取得された受信レベルが当該基準範囲の下限値よりも小さい場合に、当該下限値から当該取得された受信レベルを減じた値に当該比例係数を乗じた値を当該基準送信レベルに加えた値に前記送信レベルを設定するように構成された光通信方法。
【請求項１４】
局側装置に接続された光ファイバを経由して当該局側装置と信号を送受信するように構成された加入者側装置に、
前記局側装置から受信した信号の強度を表す受信レベルを取得する受信レベル取得手段と、
前記取得された受信レベルが予め設定された基準範囲内にある場合に予め設定された基準送信レベルが表す強度の信号を前記局側装置へ送信し、一方、当該取得された受信レベルが当該基準範囲外にある場合に当該取得された受信レベルが小さくなるほど大きくなる送信レベルが表す強度の信号を前記局側装置へ送信する送信手段と、
を実現させるためのプログラム。
【請求項１５】
請求項１４に記載のプログラムであって、
前記送信手段は、前記送信レベルを、前記取得された受信レベルの変化に対して連続して変化する値に設定するように構成されたプログラム。
【請求項１６】
請求項１４又は請求項１５に記載のプログラムであって、
前記送信手段は、前記取得された受信レベルが前記基準範囲の上限値よりも大きい場合に、当該取得された受信レベルから当該上限値を減じた値に予め設定された比例係数を乗じた値を前記基準送信レベルに加えた値に前記送信レベルを設定し、一方、当該取得された受信レベルが当該基準範囲の下限値よりも小さい場合に、当該下限値から当該取得された受信レベルを減じた値に当該比例係数を乗じた値を当該基準送信レベルに加えた値に前記送信レベルを設定するように構成されたプログラム。
【発明の詳細な説明】
【技術分野】
【０００１】
本発明は、局側装置と、局側装置に接続された光ファイバを経由して局側装置と信号を送受信する複数の加入者側装置と、を含む光通信システムに関する。
【背景技術】
【０００２】
局側装置と、局側装置に接続された光ファイバを経由して局側装置と信号を送受信する複数の加入者側装置と、を含む光通信システムが知られている。この種の光通信システムにおいては、局側装置と、各加入者側装置と、の間の距離が比較的大きく異なる場合がある。
【０００３】
この場合、局側装置と加入者側装置との間の伝送路において信号が減衰する程度が加入者側装置毎に比較的大きく異なる。この結果、局側装置が複数の加入者側装置から受信する信号の強度を表す受信レベルの範囲（ダイナミックレンジ）が過度に広くなる。この結果、局側装置が、複数の加入者側装置のそれぞれにより送信された信号を正確に取得できない虞があった。
【０００４】
そこで、この種の光通信システムの一つとして特許文献１に記載の光通信システムにおいて、加入者側装置は、局側装置から受信した信号の強度を表す受信レベルと、予め設定された基準値と、の差に比例した送信レベル（が表す強度）の信号を送信する。
【０００５】
この光通信システムによれば、加入者側装置は、局側装置と加入者側装置との間の伝送路において、信号が減衰する程度が大きくなるほど大きくなる送信レベルの信号を送信する。これにより、局側装置が複数の加入者側装置から受信する信号のレベルを一定値に近づけることができる。
【先行技術文献】
【特許文献】
【０００６】
【特許文献１】特開２００６−３０４１９４号公報
【発明の概要】
【発明が解決しようとする課題】
【０００７】
ところで、上記光通信システムにおいては、加入者側装置が送信する信号のレベルの範囲が過度に広くなる場合が生じる。このような場合、加入者側装置によって送信される信号の波形が歪む虞がある。即ち、上記光通信システムにおいては、加入者側装置から局側装置へ確実にデータを伝達することができない虞があった。
【０００８】
このため、本発明の目的は、上述した課題である「加入者側装置から局側装置へ確実にデータを伝達しながら、局側装置が受信する信号のレベルを一定値に近づけることができないこと」を解決することが可能な光通信システムを提供することにある。
【課題を解決するための手段】
【０００９】
かかる目的を達成するため本発明の一形態である光通信システムは、
局側装置と、当該局側装置に接続された光ファイバを経由して当該局側装置と信号を送受信する複数の加入者側装置と、を含む。
【００１０】
更に、上記加入者側装置は、
上記局側装置から受信した信号の強度を表す受信レベルを取得する受信レベル取得手段と、
上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信手段と、
を備える。
【００１１】
また、本発明の他の形態である加入者側装置は、
局側装置に接続された光ファイバを経由して当該局側装置と信号を送受信するように構成されるとともに、
上記局側装置から受信した信号の強度を表す受信レベルを取得する受信レベル取得手段と、
上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信手段と、
を備える。
【００１２】
また、本発明の他の形態である光通信方法は、
局側装置と、当該局側装置に接続された光ファイバを経由して当該局側装置と信号を送受信する複数の加入者側装置と、を含む光通信システムに適用される。
【００１３】
更に、上記光通信方法は、
上記加入者側装置が、上記局側装置から受信した信号の強度を表す受信レベルを取得する受信レベル取得工程と、
上記加入者側装置が、上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信工程と、
を含む。
【００１４】
また、本発明の他の形態であるプログラムは、
局側装置に接続された光ファイバを経由して当該局側装置と信号を送受信するように構成された加入者側装置に、
上記局側装置から受信した信号の強度を表す受信レベルを取得する受信レベル取得手段と、
上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信手段と、
を実現させるためのプログラムである。
【発明の効果】
【００１５】
本発明は、以上のように構成されることにより、加入者側装置から局側装置へ確実にデータを伝達しながら、局側装置が受信する信号のレベルを一定値に近づけることができる。
【図面の簡単な説明】
【００１６】
【図１】本発明の実施形態に係る光通信システムの概略構成を表す図である。
【図２】図１に示した局側装置の概略構成を表す図である。
【図３】局側装置から複数の加入者側装置へ送信データを送信する際に送受信される信号を概念的に示した説明図である。
【図４】図１に示した加入者側装置の概略構成を表す図である。
【図５】複数の加入者側装置から局側装置へ送信データを送信する際に送受信される信号を概念的に示した説明図である。
【図６】加入者側装置が送信レベルを決定する際に用いる送信レベルと受信レベルとの関係を示したグラフである。
【図７】局側装置が加入者側装置を新たに登録する際の光通信システムの作動を示したシーケンス図である。
【図８】本発明の実施形態の変形例に係る光通信システムの概略構成を表す図である。
【発明を実施するための形態】
【００１７】
本発明の一形態である光通信システムは、
局側装置と、当該局側装置に接続された光ファイバを経由して当該局側装置と信号を送受信する複数の加入者側装置と、を含む。
【００１８】
更に、上記加入者側装置は、
上記局側装置から受信した信号の強度を表す受信レベルを取得する受信レベル取得手段と、
上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信手段と、
を備える。
【００１９】
これによれば、受信レベルが基準範囲外である場合においては、加入者側装置は、受信レベルが小さくなるほど大きくなる送信レベル（が表す強度）の信号を送信する。即ち、加入者側装置は、局側装置と加入者側装置との間の伝送路において、信号が減衰する程度が大きくなるほど大きくなる送信レベルの信号を送信する。これにより、局側装置が複数の加入者側装置から受信する信号のレベルを一定値に近づけることができる。この結果、局側装置が、複数の加入者側装置のそれぞれにより送信された信号を正確に取得することができる。
【００２０】
更に、加入者側装置が受信レベルと所定の基準値との差に比例したレベルの信号を送信するように構成されている場合と比較して、加入者側装置が送信する信号のレベル（送信レベル）の範囲が過度に広くなることを防止することができる。これにより、加入者側装置が送信する信号の波形が歪むことを防止することができる。この結果、加入者側装置から局側装置へ確実にデータを伝達することができる。
【００２１】
このように、上記構成によれば、加入者側装置から局側装置へ確実にデータを伝達しながら、局側装置が受信する信号のレベルを一定値に近づけることができる。
【００２２】
この場合、上記送信手段は、上記送信レベルを、上記取得された受信レベルの変化に対して連続して変化する値に設定するように構成されることが好適である。
【００２３】
この場合、上記送信手段は、上記取得された受信レベルが上記基準範囲の上限値よりも大きい場合、当該上限値と当該取得された受信レベルとの差に比例する補正量を上記基準送信レベルに加えた値に上記送信レベルを設定するように構成されることが好適である。
【００２４】
この場合、上記送信手段は、上記取得された受信レベルが上記基準範囲の下限値よりも小さい場合、当該下限値と当該取得された受信レベルとの差に比例する補正量を上記基準送信レベルに加えた値に上記送信レベルを設定するように構成されることが好適である。
【００２５】
この場合、上記送信手段は、上記取得された受信レベルが上記基準範囲の上限値よりも大きい場合に、当該取得された受信レベルから当該上限値を減じた値に予め設定された比例係数を乗じた値を上記基準送信レベルに加えた値に上記送信レベルを設定し、一方、当該取得された受信レベルが当該基準範囲の下限値よりも小さい場合に、当該取得された受信レベルから当該下限値を減じた値に当該比例係数を乗じた値を当該基準送信レベルに加えた値に上記送信レベルを設定するように構成されることが好適である。
【００２６】
この場合、上記複数の加入者側装置のそれぞれは、他の加入者側装置と異なる信号送信期間にて信号を上記局側装置へ送信するように構成されることが好適である。
【００２７】
この場合、上記送信手段は、上記局側装置との間の通信を確立するために当該局側装置から受信した信号の強度を表す受信レベルに基づいて、上記送信レベルを設定するように構成されることが好適である。
【００２８】
ところで、局側装置が加入者側装置へ送信レベルを指示するように構成される光通信システムにおいては、局側装置と加入者側装置との間の通信が確立された後に、局側装置から加入者側装置へ上記指示が送信される。即ち、局側装置と加入者側装置との間の通信が確立されるまでの間は、局側装置が複数の加入者側装置から受信する信号のレベルを一定値に近づけることができない。
【００２９】
これに対し、上記構成によれば、局側装置と加入者側装置との間の通信が確立される前の時点にて、送信レベルを適切に設定することができる。この結果、局側装置と加入者側装置との間の通信が確立される前の時点にて、局側装置が複数の加入者側装置から受信する信号のレベルを一定値に近づけることができる。
【００３０】
また、本発明の他の形態である加入者側装置は、
局側装置に接続された光ファイバを経由して当該局側装置と信号を送受信するように構成されるとともに、
上記局側装置から受信した信号の強度を表す受信レベルを取得する受信レベル取得手段と、
上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信手段と、
を備える。
【００３１】
この場合、上記送信手段は、上記送信レベルを、上記取得された受信レベルの変化に対して連続して変化する値に設定するように構成されることが好適である。
【００３２】
この場合、上記送信手段は、上記取得された受信レベルが上記基準範囲の上限値よりも大きい場合に、当該取得された受信レベルから当該上限値を減じた値に予め設定された比例係数を乗じた値を上記基準送信レベルに加えた値に上記送信レベルを設定し、一方、当該取得された受信レベルが当該基準範囲の下限値よりも小さい場合に、当該下限値から当該取得された受信レベルを減じた値に当該比例係数を乗じた値を当該基準送信レベルに加えた値に上記送信レベルを設定するように構成されることが好適である。
【００３３】
また、本発明の他の形態である光通信方法は、
局側装置と、当該局側装置に接続された光ファイバを経由して当該局側装置と信号を送受信する複数の加入者側装置と、を含む光通信システムに適用される。
【００３４】
更に、上記光通信方法は、
上記加入者側装置が、上記局側装置から受信した信号の強度を表す受信レベルを取得する受信レベル取得工程と、
上記加入者側装置が、上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信工程と、
を含む。
【００３５】
この場合、上記送信工程は、上記送信レベルを、上記取得された受信レベルの変化に対して連続して変化する値に設定するように構成されることが好適である。
【００３６】
この場合、上記送信工程は、上記取得された受信レベルが上記基準範囲の上限値よりも大きい場合に、当該取得された受信レベルから当該上限値を減じた値に予め設定された比例係数を乗じた値を上記基準送信レベルに加えた値に上記送信レベルを設定し、一方、当該取得された受信レベルが当該基準範囲の下限値よりも小さい場合に、当該下限値から当該取得された受信レベルを減じた値に当該比例係数を乗じた値を当該基準送信レベルに加えた値に上記送信レベルを設定するように構成されることが好適である。
【００３７】
また、本発明の他の形態であるプログラムは、
局側装置に接続された光ファイバを経由して当該局側装置と信号を送受信するように構成された加入者側装置に、
上記局側装置から受信した信号の強度を表す受信レベルを取得する受信レベル取得手段と、
上記取得された受信レベルが予め設定された基準範囲内にある場合に予め設定された基準送信レベルが表す強度の信号を上記局側装置へ送信し、一方、当該取得された受信レベルが当該基準範囲外にある場合に当該取得された受信レベルが小さくなるほど大きくなる送信レベルが表す強度の信号を上記局側装置へ送信する送信手段と、
を実現させるためのプログラムである。
【００３８】
この場合、上記送信手段は、上記送信レベルを、上記取得された受信レベルの変化に対して連続して変化する値に設定するように構成されることが好適である。
【００３９】
この場合、上記送信手段は、上記取得された受信レベルが上記基準範囲の上限値よりも大きい場合に、当該取得された受信レベルから当該上限値を減じた値に予め設定された比例係数を乗じた値を上記基準送信レベルに加えた値に上記送信レベルを設定し、一方、当該取得された受信レベルが当該基準範囲の下限値よりも小さい場合に、当該下限値から当該取得された受信レベルを減じた値に当該比例係数を乗じた値を当該基準送信レベルに加えた値に上記送信レベルを設定するように構成されることが好適である。
【００４０】
上述した構成を有する、加入者側装置、光通信方法、又は、プログラム、の発明であっても、上記光通信システムと同様の作用を有するために、上述した本発明の目的を達成することができる。
【００４１】
以下、本発明に係る、光通信システム、加入者側装置、光通信方法、及び、プログラム、の実施形態について図１〜図８を参照しながら説明する。
【００４２】
＜実施形態＞
（構成）
図１に示したように、本発明の実施形態に係る光通信システム１００は、ＰＯＮ（Ｐａｓｓｉｖｅ  Ｏｐｔｉｃａｌ  Ｎｅｔｏｗｏｒｋ）システムである。ＰＯＮシステムは、ＰＤＳ（Ｐａｓｓｉｖｅ  Ｄｏｕｂｌｅ  Ｓｔａｒ）システムとも呼ばれる。
【００４３】
光通信システム１００は、複数（本例では、３つ）の加入者側装置１ａ〜１ｃと、局側装置２と、光スプリッタ３と、を含む。加入者側装置１ａ〜１ｃは、ＯＮＵ（Ｏｐｔｉｃａｌ  Ｎｅｔｗｏｒｋ  Ｕｎｉｔ）とも呼ばれ、局側装置２は、ＯＬＴ（Ｏｐｔｉｃａｌ  Ｌｉｎｅ  Ｔｅｒｍｉｎａｌ）とも呼ばれ、光スプリッタ３は、光カプラとも呼ばれる。
【００４４】
加入者側装置１ａと光スプリッタ３とは、光ファイバＬ１ａにより接続されている。同様に、加入者側装置１ｂと光スプリッタ３とは、光ファイバＬ１ｂにより接続されている。同様に、加入者側装置１ｃと光スプリッタ３とは、光ファイバＬ１ｃにより接続されている。また、局側装置２と光スプリッタ３とは、光ファイバＬ２により接続されている。
【００４５】
光スプリッタ３は、光受動素子としての光合分波器である。具体的には、光スプリッタ３は、局側装置２から受信した信号（本例では、光信号）を加入者側装置１ａ〜１ｃのそれぞれへ送信する。また、光スプリッタ３は、加入者側装置１ａ〜１ｃのそれぞれから受信した信号を合成し（重畳させ）、合成した信号を局側装置２へ送信する。
【００４６】
このような構成により、複数の加入者側装置１ａ〜１ｃは、局側装置２に接続された光ファイバＬ２を経由して局側装置２と信号を送受信する。
【００４７】
次に、局側装置２の構成について図２を参照しながら説明する。局側装置２は、送信部２１と、受信部２２と、を備える。
【００４８】
送信部２１は、レーザーダイオード２３と、駆動電流制御部２４と、を含む。
レーザーダイオード２３は、駆動電流制御部２４により駆動電流が供給されることにより、レーザー光を出力する。駆動電流制御部２４は、レーザーダイオード２３へ供給する駆動電流を制御する。
【００４９】
送信部２１は、図３に示したように、加入者側装置１ａを送信先とする送信データを表す信号（ＯＮＵ＃１）と、加入者側装置１ｂを送信先とする送信データを表す信号（ＯＮＵ＃２）と、加入者側装置１ｃを送信先とする送信データを表す信号（ＯＮＵ＃３）と、が連続した信号を送信する。
【００５０】
送信部２１によって送信された信号は、加入者側装置１ａ〜１ｃのそれぞれによって受信される。このとき、各加入者側装置１ａ〜１ｃは、局側装置２と各加入者側装置１ａ〜１ｃとの間の距離に応じた異なるレベルの信号を受信する。図３に示した例においては、加入者側装置１ａ〜１ｃが受信する信号のレベルは、加入者側装置１ａ、加入者側装置１ｂ、及び、加入者側装置１ｃの順に小さくなる。なお、本例では、各加入者側装置１ａ〜１ｃは、同一のデータを表す信号を受信する。
【００５１】
受信部２２は、ＡＰＤ受光素子２５と、増幅回路２６と、リミッタ回路２７と、を含む。
ＡＰＤ受光素子２５は、アバランシェフォトダイオード（Ａｖａｌａｎｃｈｅ  Ｐｈｏｔｏｄｉｏｄｅ）からなる。ＡＰＤ受光素子２５は、各加入者側装置１ａ〜１ｃにより送信された信号（光信号）を受信し、受信した信号を電気信号に変換する。
【００５２】
増幅回路２６は、ＡＰＤ受光素子２５により変換された電気信号を増幅する。リミッタ回路２７は、増幅回路２６により増幅された電気信号の強度を表す信号レベルを、予め設定された上限値以下に制限する。
【００５３】
次に、加入者側装置１ａの構成について図４を参照しながら説明する。なお、加入者側装置１ｂ及び加入者側装置１ｃも、加入者側装置１ａと同様の構成を有する。
【００５４】
加入者側装置１ａは、送信部（送信手段の一部）１１と、受信部１２と、送信レベル制御回路（送信手段の一部）１９と、を備える。
送信部１１は、レーザーダイオード１３と、駆動電流制御部１４と、を含む。
レーザーダイオード１３は、駆動電流制御部１４により駆動電流が供給されることにより、レーザー光を出力する。駆動電流制御部１４は、レーザーダイオード１３へ供給する駆動電流を、送信レベル制御回路１９から受け付けた制御指示に応じた大きさに制御する。
【００５５】
送信部１１は、図５に示したように、予め局側装置２によって割り当てられた信号送信期間＃１にて、局側装置２へ信号（ＯＮＵ＃１）を送信する。同様に、加入者側装置１ｂ及び加入者側装置１ｃのそれぞれも、予め局側装置２によって割り当てられた信号送信期間＃２，＃３にて、局側装置２へ信号（ＯＮＵ＃２及びＯＮＵ＃３）を送信する。
【００５６】
即ち、複数の加入者側装置１ａ〜１ｃのそれぞれは、他の加入者側装置と異なる信号送信期間にて信号を局側装置２へ送信する。このように、この光通信システム１００は、加入者側装置１ａ〜１ｃから局側装置２へ、時分割多重方式を用いて信号（送信データ）を送信する。
【００５７】
受信部１２は、受光素子１５と、増幅回路１６と、リミッタ回路１７と、受信レベル取得部（受信レベル取得手段）１８と、を含む。
受光素子１５は、局側装置２により送信された信号（光信号）を受信し、受信した信号を電気信号に変換する。
【００５８】
増幅回路１６は、受光素子１５により変換された電気信号を増幅する。リミッタ回路１７は、増幅回路１６により増幅された電気信号の強度を表す信号レベルを、予め設定された上限値以下に制限する。
【００５９】
受信レベル取得部１８は、受光素子１５により変換された電気信号を受け付け、受け付けた電気信号に基づいて、受光素子１５によって受信された信号の強度を表す受信レベルを取得する。
【００６０】
送信レベル制御回路１９は、受信レベル取得部１８により取得された受信レベルが予め設定された基準範囲内（予め設定された上限値と、予め設定された下限値と、の間）にある場合に予め設定された基準送信レベルが表す強度の信号をレーザーダイオード１３から送信するための制御指示を駆動電流制御部１４へ送出する。
【００６１】
一方、送信レベル制御回路１９は、受信レベル取得部１８により取得された受信レベルが基準範囲外にある場合に当該取得された受信レベルが小さくなるほど大きくなる送信レベルが表す強度の信号をレーザーダイオード１３から送信するための制御指示を駆動電流制御部１４へ送出する。
【００６２】
具体的には、送信レベル制御回路１９は、図６にて実線Ｃ１により示した受信レベルと送信レベルとの関係に基づいて送信レベルを設定する。
【００６３】
即ち、送信レベル制御回路１９は、取得された受信レベルが基準範囲の上限値よりも大きい場合に、当該取得された受信レベルから当該上限値を減じた値に予め設定された正の値である比例係数を乗じた値を基準送信レベルに加えた値に送信レベルを設定する。換言すると、送信レベル制御回路１９は、取得された受信レベルが基準範囲の上限値よりも大きい場合、当該上限値と当該取得された受信レベルとの差に比例する補正量を基準送信レベルに加えた値に送信レベルを設定する。
【００６４】
一方、送信レベル制御回路１９は、取得された受信レベルが基準範囲の下限値よりも小さい場合に、当該取得された受信レベルから当該下限値を減じた値に上記比例係数を乗じた値を基準送信レベルに加えた値に送信レベルを設定する。換言すると、送信レベル制御回路１９は、取得された受信レベルが基準範囲の下限値よりも小さい場合、当該下限値と当該取得された受信レベルとの差に比例する補正量を基準送信レベルに加えた値に送信レベルを設定する。
【００６５】
このようにして、送信レベル制御回路１９は、送信レベルを、取得された受信レベルの変化に対して連続して変化する値に設定する。
【００６６】
ところで、加入者側装置が受信レベルと所定の基準値との差に比例したレベルの信号を送信するように構成されている場合、受信レベルと送信レベルとの関係は、図６の一点鎖線Ｃ２により示される。この場合、所定の受信レベルの範囲ＲＲに対する送信レベルの範囲Ｒ２は、比較的広い。
【００６７】
一方、光通信システム１００によれば、受信レベルの範囲ＲＲに対する送信レベルの範囲Ｒ１を、上記範囲Ｒ２よりも狭くすることができる。即ち、加入者側装置が受信レベルと所定の基準値との差に比例したレベルの信号を送信するように構成されている場合と比較して、加入者側装置１ａ〜１ｃが送信する信号のレベル（送信レベル）の範囲が過度に広くなることを防止することができる。
【００６８】
これにより、加入者側装置１ａ〜１ｃが送信する信号の波形が歪むことを防止することができる。この結果、加入者側装置１ａ〜１ｃから局側装置２へ確実にデータを伝達することができる。
【００６９】
（作動）
次に、上記のように構成された光通信システム１００の作動について説明する。
先ず、局側装置２が加入者側装置を新たに登録する際の光通信システム１００の作動について図７を参照しながら説明する。本例では、この作動は、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  Ｉｎｃ．）８０２．３ａｈにより定められた作動である。
【００７０】
いま、光通信システム１００において新規に加入者側装置１ａが起動された場合を想定して説明を続ける。
【００７１】
局側装置２は、所定の周期が経過する毎に、「Ｄｉｓｃｏｖｅｒｙ  ＧＡＴＥ」信号を送信するようになっている。
従って、加入者側装置１ａが新たに起動されると、加入者側装置１ａは、この「Ｄｉｓｃｏｖｅｒｙ  ＧＡＴＥ」信号を受信する。
【００７２】
そして、加入者側装置１ａは、受信した「Ｄｉｓｃｏｖｅｒｙ  ＧＡＴＥ」信号の強度を表す受信レベルを取得する（ステップ７０１、受信レベル取得工程）。更に、加入者側装置１ａは、図６の実線Ｃ１により示した受信レベルと送信レベルとの関係と、ステップ７０１にて取得した受信レベルと、に基づいて送信レベルを決定する（ステップ７０２、送信工程の一部）。なお、加入者側装置１ａは、以降において、この決定した送信レベルが表す強度の信号を局側装置２へ送信する。
【００７３】
このように、加入者側装置１ａは、局側装置２との間の通信を確立するために局側装置２から受信した信号の強度を表す受信レベルに基づいて、送信レベルを設定するように構成されている。
【００７４】
ところで、局側装置が加入者側装置へ送信レベルを指示するように構成される光通信システムにおいては、局側装置と加入者側装置との間の通信が確立された後に、局側装置から加入者側装置へ上記指示が送信される。即ち、局側装置と加入者側装置との間の通信が確立されるまでの間は、局側装置が複数の加入者側装置から受信する信号のレベルを一定値に近づけることができない。
【００７５】
これに対し、光通信システム１００によれば、局側装置２と加入者側装置１ａとの間の通信が確立される前の時点にて、送信レベルを適切に設定することができる。この結果、局側装置２と加入者側装置１ａとの間の通信が確立される前の時点にて、局側装置２が複数の加入者側装置１ａ〜１ｃから受信する信号のレベルを一定値に近づけることができる。
【００７６】
そして、加入者側装置１ａは、「Ｒｅｇｉｓｔｅｒ  Ｒｅｑｕｅｓｔ」信号を局側装置２へ送信する（送信工程の一部）。
次いで、局側装置２は、「Ｒｅｇｉｓｔｅｒ  Ｒｅｑｕｅｓｔ」信号を受信すると、論理リンクＩＤ（ＬＬＩＤ；Ｌｏｇｉｃａｌ  Ｌｉｎｋ  Ｉｄｅｎｔｉｆｉｃａｔｉｏｎ  Ｎｕｍｂｅｒ）を予約し、そのＬＬＩＤを含む「Ｒｅｇｉｓｔｅｒ」信号を加入者側装置１ａへ送信する。
【００７７】
そして、加入者側装置１ａは、「Ｒｅｇｉｓｔｅｒ」信号を受信し、受信した「Ｒｅｇｉｓｔｅｒ」信号に含まれるＬＬＩＤを記憶装置に記憶させる。
次いで、局側装置２は、加入者側装置１ａが信号を送信するための期間であって、加入者側装置１ａに対して割り当てる期間である信号送信期間を表す情報（信号送信期間情報）を含む「Ｎｏｒｍａｌ  ＧＡＴＥ」信号を加入者側装置１ａへ送信する。
【００７８】
そして、加入者側装置１ａは、「Ｎｏｒｍａｌ  ＧＡＴＥ」信号を受信すると、受信した「Ｎｏｒｍａｌ  ＧＡＴＥ」信号に含まれる信号送信期間情報を記憶装置に記憶させる。次いで、加入者側装置１ａは、「ＡＣＫ」信号を局側装置２へ送信する（送信工程の一部）。
【００７９】
局側装置２が「ＡＣＫ」信号を受信することにより、加入者側装置１ａと局側装置２との間の通信（リンクＵＰ）が確立される（ステップ７０３）。
【００８０】
その後、加入者側装置１ａは、記憶されている信号送信期間情報が表す信号送信期間にて、送信データを表す信号を局側装置２へ送信する（送信工程の一部）。
また、局側装置２は、各加入者側装置１ａを送信先とする送信データを表す信号が連続した信号を、加入者側装置１ａ〜１ｃのそれぞれへ送信する。
【００８１】
なお、光通信システム１００において新規に加入者側装置１ａが起動された場合について説明したが、加入者側装置１ｂ又は加入者側装置１ｃが新規に起動された場合についても同様に説明される。
【００８２】
以上、説明したように、本発明による光通信システムの実施形態によれば、受信レベルが基準範囲外である場合においては、加入者側装置１ａ〜１ｃは、受信レベルが小さくなるほど大きくなる送信レベル（が表す強度）の信号を送信する。即ち、加入者側装置１ａ〜１ｃは、局側装置２と加入者側装置１ａ〜１ｃとの間の伝送路において、信号が減衰する程度が大きくなるほど大きくなる送信レベルの信号を送信する。これにより、局側装置２が複数の加入者側装置１ａ〜１ｃから受信する信号のレベルを一定値に近づけることができる。換言すると、局側装置２が複数の加入者側装置１ａ〜１ｃから受信する信号のレベルの偏差を小さくすることができる。この結果、局側装置２が、複数の加入者側装置１ａ〜１ｃのそれぞれにより送信された信号を正確に取得することができる。
【００８３】
更に、加入者側装置１ａ〜１ｃが受信レベルと所定の基準値との差に比例したレベルの信号を送信するように構成されている場合と比較して、加入者側装置１ａ〜１ｃが送信する信号のレベル（送信レベル）の範囲が過度に広くなることを防止することができる。これにより、加入者側装置１ａ〜１ｃが送信する信号の波形が歪むことを防止することができる。この結果、加入者側装置１ａ〜１ｃから局側装置２へ確実にデータを伝達することができる。
【００８４】
このように、光通信システム１００によれば、加入者側装置１ａ〜１ｃから局側装置２へ確実にデータを伝達しながら、局側装置２が受信する信号のレベルを一定値に近づけることができる。
【００８５】
なお、上記実施形態においては、加入者側装置１ａ〜１ｃは、「Ｄｉｓｃｏｖｅｒｙ  ＧＡＴＥ」信号を受信した場合に１回だけ送信レベルを決定するように構成されていたが、局側装置２から信号を受信する毎に、受信した信号の受信レベルに基づいて送信レベルを決定するように構成されていてもよい。
【００８６】
また、加入者側装置１ａ〜１ｃは、予め設定された更新周期が経過する毎に、受信した信号の受信レベルに基づいて送信レベルを決定するように構成されていてもよいし、予め定められた更新条件が成立した場合に受信した信号の受信レベルに基づいて送信レベルを決定するように構成されていてもよい。
【００８７】
また、本発明に係る光通信システム１００は、加入者側装置１ａ〜１ｃの送信レベルを局側装置２が指示するように構成されたシステム（例えば、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎｓｔａｎｄａｒｄｉｚａｔｉｏｎ  ｓｅｃｔｏｒ）Ｇ．９８４．２及びＧ．９８４．３によるＧ−ＰＯＮシステム等）に適用されてもよいし、加入者側装置１ａ〜１ｃの送信レベルを局側装置２が指示するように構成されていないシステム（例えば、ＩＥＥＥ８０２．３ａｈによるＧＥ−ＰＯＮシステム等）に適用されてもよい。
【００８８】
このような既存のＰＯＮシステムにおいても、本発明を適用することにより、システムに大きな変更を加えること無く、ファイバ伝送路設計の自由度を増すことが可能となる。
【００８９】
なお、本発明は上記実施形態に限定されることはなく、本発明の範囲内において種々の変形例を採用することができる。例えば、上記実施形態において、加入者側装置１ａ〜１ｃの各機能は、回路等のハードウェアにより実現されていたが、加入者側装置１ａ〜１ｃの機能の一部は、処理装置がプログラム等を実行することにより実現されていてもよい。
【００９０】
また、図８に示したように、上記実施形態の変形例に係る光通信システム８００は、局側装置８１０と、複数の加入者側装置８２０と、を含む。
【００９１】
複数の加入者側装置８２０のそれぞれは、局側装置８１０に接続された光ファイバを経由して局側装置８１０と信号を送受信する。複数の加入者側装置８２０のそれぞれは、受信レベル取得部（受信レベル取得手段）８２１と、送信部（送信手段）８２２と、を備える。
【００９２】
受信レベル取得部８２１は、局側装置８１０から受信した信号の強度を表す受信レベルを取得する。
送信部８２２は、受信レベル取得部８２１により取得された受信レベルが予め設定された基準範囲内にある場合に予め設定された基準送信レベルが表す強度の信号を局側装置８１０へ送信する。
【００９３】
一方、送信部８２２は、受信レベル取得部８２１により取得された受信レベルが上記基準範囲外にある場合に当該取得された受信レベルが小さくなるほど大きくなる送信レベルが表す強度の信号を局側装置８１０へ送信する。
【００９４】
この変形例によっても、加入者側装置８２０から局側装置８１０へ確実にデータを伝達しながら、局側装置８１０が受信する信号のレベルを一定値に近づけることができる。
【００９５】
また、上記実施形態の他の変形例として、上述した実施形態及び変形例の任意の組み合わせが採用されてもよい。
【産業上の利用可能性】
【００９６】
本発明は、光通信を行うＰＯＮシステム等に適用可能である。
【符号の説明】
【００９７】
１ａ〜１ｃ  加入者側装置
２      局側装置
３      光スプリッタ
１１    送信部
１２    受信部
１３    レーザーダイオード
１４    駆動電流制御部
１５    受光素子
１６    増幅回路
１７    リミッタ回路
１８    受信レベル取得部
１９    送信レベル制御回路
２１    送信部
２２    受信部
２３    レーザーダイオード
２４    駆動電流制御部
２５    ＡＰＤ受光素子
２６    増幅回路
２７    リミッタ回路
１００  光通信システム
８００  光通信システム
８１０  局側装置
８２０  加入者側装置
８２１  受信レベル取得部
８２２  送信部
Ｌ１ａ〜Ｌ１ｃ，Ｌ２  光ファイバ
【図１】
2010161454.tif 000003
【図２】
2010161454.tif 000004
【図３】
2010161454.tif 000005
【図４】
2010161454.tif 000006
【図５】
2010161454.tif 000007
【図６】
2010161454.tif 000008
【図７】
2010161454.tif 000009
【図８】
2010161454.tif 000010